(57)【要約】【課題】商用電源に接続される配線が一時的に過電流状態になっても常時、通電しておきたいような重要な電気機器に対して電源供給が遮断されるのを防止する。【解決手段】優先遮断機能付テーブルタップ１は、商用電源２に接続される配線３に流れる電流を検出する電流検出部１０と、配線３に対して分岐して並列に接続された複数のコンセント１５〜１８と、複数のコンセント１５〜１８の各々と配線３との間に設けられた複数のスイッチＳＷ１〜ＳＷ４と、電流検出部１０により検出された電流値が設定値を超えた場合にスイッチＳＷ１〜ＳＷ４を予め定められた優先順位に従ってオフ状態となるように制御する制御回路１２と、制御回路１２が複数のスイッチＳＷ１〜ＳＷ４を切換制御する際の電流の基準値を設定する設定部１４とを有している。【選択図】      図１
2004274938.tif 000002
【特許請求の範囲】
【請求項１】
商用電源に接続される配線に流れる電流を検出する電流検出手段と、
前記配線に対して分岐して並列に接続された複数のコンセントと、
前記複数のコンセントのうち少なくとも一部のコンセント各々と前記配線との間に設けられ通常はオン状態となっている複数のスイッチ手段と、
前記電流検出手段により検出された電流値が設定値を超えた場合に前記複数のスイッチ手段を予め定められた優先順位に従ってオフ状態となるように制御する制御手段と、
を有することを特徴とする優先遮断機能付テーブルタップ。
【請求項２】
前記制御手段は、前記電流検出手段により検出された電流値が設定値を超えた場合に前記複数のスイッチ手段を予め定められた優先順位に従ってオフ状態となるように制御し、その後一定時間経過した時点で前記電流検出手段により検出された電流値が設定値以下になった場合に前記複数のスイッチ手段をオン状態となるように制御することを特徴とする請求項１に記載の優先遮断機能付テーブルタップ。
【請求項３】
さらに、前記設定値を変更するための設定手段を有することを特徴とする請求項１または２のいずれかに記載の優先遮断機能付テーブルタップ。
【発明の詳細な説明】
【０００１】
【発明の属する技術分野】
本発明は、複数のコンセントに対して優先順位に従って電源供給を遮断する機能を有する優先遮断機能付テーブルタップに関する。
【０００２】
【従来の技術】
一般家庭において、多数の電気製品を使用したい場合に建物付帯のコンセントではその数が足りず、テーブルタップを用いることがある。多数の電気製品を扱う際、使用する電気機器単体の消費電力を把握していても、接続されているテーブルタップ全体にどれだけの消費電力がかかっているのか把握するユーザは少ない。
【０００３】
しかしながら、電気製品によっては一時的に使用電力が増加するものがある。
一方、電源の供給と遮断の機能を有するテーブルタップが提案されているがこれはパーソナルコンピュータのソフトウェアで電源のオン、オフを行う機能を有するものであり（例えば、特許文献１参照。）、テーブルタップが商用電源に接続される配線が過電流状態になったときに、電源の遮断を行うものではない。
【０００４】
【特許文献１】
特開２０００−１２２７６４号公報
【０００５】
【発明が解決しようとする課題】
使用電力の大きい電気機器や、一時的に大きな電力を要する電気機器を接続した場合に建物付帯の過電流ブレーカが機能し、接続されている全ての機器に供給されていた電源が喪失してしまうためにパーソナルコンピュータや時計機能などが備わった電気製品が接続されている場合、データがリセットされてしまう等の問題が生じる。
【０００６】
また、テーブルタップ自体に過電流ブレーカ機能を備えたものも存在するが、動作時には全てのコンセントへの電源供給を遮断してしまうので、テーブルタップに接続して電源供給を受けていた機器は全て電源喪失状態となる。
本発明はこのような事情に鑑みてなされたものであり、商用電源に接続される配線が一時的に過電流状態になっても常時、通電しておきたいような重要な電気機器に対して電源供給が遮断されるのを防止することができる優先遮断機能付テーブルタップを提供することを目的とする。
【０００７】
【課題を解決するための手段】
上記目的を解決するために請求項１に記載の発明は、商用電源に接続される配線に流れる電流を検出する電流検出手段と、前記配線に対して分岐して並列に接続された複数のコンセントと、前記複数のコンセントのうち少なくとも一部のコンセント各々と前記配線との間に設けられ通常はオン状態となっている複数のスイッチ手段と、前記電流検出手段により検出された電流値が設定値を超えた場合に前記複数のスイッチ手段を予め定められた優先順位に従ってオフ状態となるように制御する制御手段とを有することを特徴とする。
【０００８】
また、請求項２に記載の発明は、請求項１に記載の優先遮断機能付テーブルタップにおいて、前記制御手段は、前記電流検出手段により検出された電流値が設定値を超えた場合に前記複数のスイッチ手段を予め定められた優先順位に従ってオフ状態となるように制御し、その後一定時間経過した時点で前記電流検出手段により検出された電流値が設定値以下になった場合に前記複数のスイッチ手段をオン状態となるように制御することを特徴とする。
【０００９】
また、請求項３に記載の発明は、請求項１または２のいずれかに記載の優先遮断機能付テーブルタップにおいて、さらに、前記設定値を変更するための設定手段を有することを特徴とする。
【００１０】
【発明の実施の形態】
以下、本発明の実施形態を、図面を参照して詳細に説明する。本発明の実施形態に係る優先遮断機能付テーブルタップの構成を図１に示す。同図において、優先遮断機能付テーブルタップ１は、商用電源２に接続される配線３に流れる電流を検出する電流検出部１０と、配線３に対して分岐して並列に接続された複数のコンセント１５〜１７と、複数のコンセント１５〜１７の各々と配線３との間に設けられた複数のスイッチＳＷ１〜ＳＷ４と、電流検出部１０により検出された電流値に基づいて複数のスイッチＳＷ１〜ＳＷ４を切換制御する制御回路１２と、制御回路１２が複数のスイッチＳＷ１〜ＳＷ４を切換制御する際の電流の基準値（閾値）を設定する設定部１４とを有している。
【００１１】
電流検出部１０は、配線３に流れる電流を検出するカレントトランス１０Ａと、カレントトランス１０Ａにより検出された電流のＡ／Ｄ変換等を行う演算回路１０Ｂとから構成されている。
配線１０は、分岐線２０−１〜２０−４に接続され、分岐線２０−１はスイッチＳＷ１を介してコンセント１５に、分岐線２０−２はスイッチＳＷ２を介してコンセント１６に、分岐線２０−３はスイッチＳＷ３を介してコンセント１７に、分岐線２０−４はスイッチＳＷ４を介してコンセント１８に接続されている。
【００１２】
スイッチＳＷ１〜ＳＷ４は、制御回路１２から出力される制御信号によりオン状態またはオフ状態に切り換えられるが、通常はオン状態となるように制御される。このスイッチＳＷ１〜ＳＷ４は、リレー、またはアナログスイッチ等、電子的に制御可能なスイッチで構成される。
【００１３】
コンセント１５〜１８には電源の遮断について優先順位が予め定められており、その優先順位、すなわち、配線３が過電流状態になった際に電源供給を遮断する順序は、例えば、コンセント１５、１６、１７、１８の順であるものとする。したがって、電源を切りたくない重要度の高い電気機器（例えば、パーソナルコンピュータ）は電源遮断の優先順位が低いコンセント１８に接続して使用される。
また、電源を切ってもあまり問題のない電気機器、例えば、掃除機等の電気機器は遮断の優先順位が高い例えば、コンセント１５に接続して使用される。この優先順位は制御回路１２内のメモリに記憶されている。
【００１４】
設定部１４は、制御回路１２がスイッチＳＷ１〜ＳＷ４を切換制御する際の基準となる電流値を設定する機能を有しており、ユーザが操作することにより任意に設定値（電流値）を変更することができるようになっている。
制御回路１２は、スイッチＳＷ１〜ＳＷ４を通常はオン状態とし、電流検出部１０により検出された電流値が設定値を超えた場合に上記複数のスイッチＳＷ１〜ＳＷ４を制御回路１２内のメモリに記憶されている予め定められた優先順位に従ってオフ状態となるように制御する機能を有している。
【００１５】
また、制御回路１２は、電流検出部１０により検出された電流値が設定値を超えた場合にスイッチＳＷ１〜ＳＷ４を予め定められた優先順位に従ってオフ状態となるように制御し、その後一定時間経過した時点で電流検出部１０により検出された電流値が設定値以下になった場合にスイッチＳＷ１〜ＳＷ４をオン状態となるように制御する機能を有している。
なお、電流検出部１０は本発明の電流検出手段に、スイッチＳＷ１〜ＳＷ４は本発明のスイッチ手段に、制御回路１２は本発明の制御手段に、設定部は本発明の設定手段に、それぞれ相当する。
【００１６】
次に、本発明の実施形態に係る優先遮断機能付テーブルタップの動作を図２のフローチャートを参照して説明する。ここで、優先遮断機能付テーブルタップ１は配線３を介して商用電源２に接続されており、コンセント１５〜１８には各種電気機器が接続されているものとする。電流検出部１０により配線３の電流ＩＬが検出されると（ステップ１００）、制御回路１２は、検出された電流ＩＬとメリに記憶されている設定部１４により設定されたＩＴＨとを大小比較する（ステップ１０１）。
【００１７】
ステップ１０１でＩＬ＜ＩＴＨであると判定した場合には全てのスイッチＳＷ１〜ＳＷ４をオン状態とし（ステップ１０２）、ステップ１００に戻り、既述した処理を繰り返す。
一方、ステップ１０１でＩＬ≧ＩＴＨであると判定した場合にはスイッチＳＷ１がオン（ＯＮ）であるか否かを判定する（ステップ１０３）。スイッチＳＷ１がオン状態である場合にはスイッチＳＷ１をオフ（ＯＦＦ）状態とし（ステップ１０４）、次いでタイマＴを起動する（ステップ１１０）。
【００１８】
また、ステップ１０３でスイッチＳＷ１がオフ状態である場合には、ステップ１０５でスイッチＳＷ２がオン状態であるか否かを判定する。ステップ１０５でスイッチＳＷ２がオン状態であると判定した場合にはスイッチＳＷ２をオフ状態とし（ステップ１０６）、次いでタイマＴを起動する（ステップ１１０）。
さらに、ステップ１０３、１０５でスイッチＳＷ１、ＳＷ２がオフ状態である場合にはステップ１０７でスイッチＳＷ３がオン状態であるか否かを判定する。
【００１９】
ステップ１０７でスイッチＳＷ３がオン状態であると判定した場合にはスイッチＳＷ３をオフ状態とし（ステップ１０８）、次いでタイマＴを起動する（ステップ１１０）。
また、ステップ１０７でスイッチＳＷ３がオフ状態であると判定した場合にはスイッチＳＷ４をオフ状態とし（ステップ１０９）、次いでタイマＴを起動する（ステップ１１０）。
このようにして制御回路１２は、予め定められた優先順位に従ってスイッチＳＷ１〜ＳＷ４を順次、オフ状態とするように切換制御する。
【００２０】
ステップ１０４、１０６、１０８、１０９のいずれかでスイッチをオフ状態にした時点でタイマを起動し（ステップ１１０）、この時点からタイマＴがＴ＝Ｔｎに達したか、すなわちスイッチＳＷ１〜ＳＷ４のいずれかが動作してから所定時間が経過したか否かを判定する（ステップ１１１）。所定時間が経過した場合には、電流検出部１０により配線の電流が検出され（ステップ１００）、その電流値ＩＬがＩＬ＜ＩＴＨであると判定した場合には（ステップ１０１）、すべてのスイッチＳＷ１〜ＳＷ４をオン状態とし、各コンセント１５〜１８への電源を復旧させる（ステップ１０２）。
なお、本実施形態では、複数のコンセント１５〜１８の各々と商用電源２に接続される配線３との間にスイッチＳＷ１〜ＳＷ４を設けるようにしているが、重要度の高い機器が接続されるコンセントについては、スイッチは必ずしも必要がないので、複数のコンセントのうち少なくとも一部のコンセント（例えば、重要度の低い掃除機等が接続されるコンセント１５、１６、１７）の各々と配線３との間にのみ設けるようにしてもよい。
【００２１】
本実施形態に係る優先遮断機能付テーブルタップによれば、電源遮断の優先順位の低いコンセントに、例えば、パーソナルコンピュータを接続して使用中に、他のコンセント（パーソナルコンピュータが接続されたコンセントより電源遮断の優先順位の高いコンセント）に掃除機を接続して商用電源に接続される配線が過電流状態となった場合に、掃除機が接続されたコンセントに対してのみ電源供給が遮断され、電源を切りたくない重要機器であるパーソナルコンピュータが接続されているコンセントへの電源が遮断されるのを防止できる。
【００２２】
また、本実施形態に係る優先遮断機能付テーブルタップによれば、商用電源に接続される配線が過電流状態であるか否かを判定するための基準値である電流の設定値を設定部により変更可能にしたので、商用電源に接続される配線に分岐接続してコンセントの数を増加させても、建物付帯ブレーカが動作するのを防止することができる。
【００２３】
【発明の効果】
以上に説明したように本発明に係る優先遮断機能付テーブルタップによれば、商用電源に接続される配線に流れる電流を検出する電流検出手段と、前記配線に対して分岐して並列に接続された複数のコンセントと、前記複数のコンセントのうちの少なくとも一部のコンセント各々と前記配線との間に設けられ通常はオン状態となっている複数のスイッチ手段と、前記電流検出手段により検出された電流値が設定値を超えた場合に前記複数のスイッチ手段を予め定められた優先順位に従ってオフ状態となるように制御する制御手段とを有するので、電源遮断の優先順位の低いコンセントに重要な電気機器を接続するようにすることにより商用電源に接続される配線が一時的に過電流状態になっても常時、通電しておきたいような重要な電気機器に対して電源供給が遮断されるのを防止することができる。
【００２４】
また、本発明に係る優先遮断機能付テーブルタップによれば、商用電源に接続される配線が過電流状態であるか否かを判定するための基準値である電流の設定値を設定手段により変更可能にしたので、商用電源に接続される配線に分岐接続してコンセントの数を増加させても、建物付帯ブレーカが動作するのを防止することができる。
【図面の簡単な説明】
【図１】本発明の実施形態に係る優先遮断機能付テーブルタップの構成を示す図。
【図２】図１に示した優先遮断機能付テーブルタップの動作を示すフローチャート。
【符号の説明】
１…優先遮断機能付テーブルタップ
２…商用電源
３…配線
１０…電流検出部
１２…制御回路
１４…設定部
１５〜１８…コンセント
ＳＷ１〜ＳＷ４…スイッチ
【図１】
2004274938.tif 000003
【図２】
2004274938.tif 000004